(57)【要約】      （修正有）【課題】ケーブルの一端を保持するスライド部材を備えるケーブル用コネクタにおいて、スライド部材を押し込むために必要とされる操作力を減少させることができること。【解決手段】フレキシブル配線板１４の接続端をコネクタ本体部１２のケーブル収容部１２Ａに対し保持するスライド部材１０が、ケーブル収容部１２Ａ内に摺動可能とされ、傾斜面部１０ＰＳを進行方向側の最端部に有するのでスライド部材１０の押圧部１０Ｐにフレキシブル配線板１４の一端を介して作用されるコンタクト端子群の弾性力に起因した反作用力が分散される。【選択図】図８
2009104812.tif 000002
【特許請求の範囲】
【請求項１】
一端に端子部を有するケーブルにおける該端子部に対し電気的に接続され、接点部の該端子部に対する相対位置が互いに異なる２種類のコンタクト端子群を有し、該ケーブルの一端における該コンタクト端子群に対する相対位置を位置決めするとともに、該ケーブルの一端を収容するケーブル収容部と、
前記ケーブル収容部内に摺動可能に配され、該ケーブル収容部内に挿入されたケーブルの端子部を前記２種類のコンタクト端子群の接点部に対し前記コンタクト端子群の弾性力に抗して押し付け保持する押圧部を有するスライド部材と、を備え、
前記スライド部材の押圧部は、前記コンタクト端子群を構成するコンタクト端子の配列方向に沿って傾斜する傾斜面部を進行方向側の最端部に有することを特徴とするケーブル用コネクタ。
【請求項２】
前記スライド部材の押圧部における傾斜面部は、最端部の中央部が窪むようにＶ字状に形成されることを特徴とする請求項１記載のケーブル用コネクタ。
【請求項３】
前記２種類のコンタクト端子群は、それぞれ、千鳥掛け状に配置されることを特徴とする請求項１記載のケーブル用コネクタ。
【発明の詳細な説明】
【技術分野】
【０００１】
本発明は、ケーブルの一端を保持するスライド部材を備えるケーブル用コネクタに関する。
【背景技術】
【０００２】
テレビジョン受信機等の電子機器内部における電装部品相互間の電気的接続を行うにあたり、ケーブル用コネクタが実用に供されている。ケーブル用コネクタは、例えば、フラットケーブル（ＦＦＣ）、または、フレキシブル配線基板（ＦＰＣ；ｆｌｅｘｉｂｌｅ  ｐｒｉｎｔｅｄ  ｃｉｒｃｕｉｔ）を介してプリント配線基板の接続端に電装品を電気的に接続するものとされる。このようなケーブル用コネクタは、スライド式およびロータリー式のケーブル用コネクタが実用に供されている。スライド式ケーブル用コネクタは、例えば、特許文献１にも示されるように、ケーブル収容部を有しプリント配線基板に配されるコネクタ本体と、コネクタ本体におけるケーブル収容部に設けられプリント配線基板の電極部とフレキシブル配線基板の端子部とを電気的に接続する複数のコンタクト端子と、作動子と、スライド部材とを含んで構成されている。
【０００３】
コネクタ本体は、接続されるべきフレキシブル配線基板の端子部が通過する挿入口を一方の端部に有している。その挿入口は、コネクタ本体の内部に形成されるケーブル収容部に連通している。コネクタ本体のケーブル収容部は、コネクタ本体の内壁により囲まれ形成されている。コネクタ本体の両側壁には、スライド部材の両端部をそれぞれ摺動可能に支持する案内溝がフレキシブル配線基板の着脱方向に沿って形成されている。
【０００４】
スライド部材は、コネクタ本体に対し摺動可能に支持され、作動子の端部を押圧または解放することにより、フレキシブル配線基板の端子部のコンタクト端子の接点部に対する着脱を行うものとされる。スライド部材は、作動子の端面部とソケット本体の内側の底壁面との間に摺接しつつフレキシブル配線基板の接続端を後述するコンタクト端子の接点部に向けて押圧する押圧面部を有している。スライド部材の押圧面部が作動子の端面部とソケット本体の内側の底壁面との間に最大量、押し込まれる場合、作動子が後述のコンタクト端子の接点部に向けて押し上げられることとなる。
【０００５】
作動子は、ケーブル収容部に挿入されたフレキシブル配線基板の接続端を後述するスライド部材に連動して複数のコンタクト端子の接点部に向けて押し付ける端部を有するものとされる。
【０００６】
複数のコンタクト端子は、フレキシブル配線基板の端子部の配列に対応してケーブル収容部内に配列されている。各コンタクト端子は、プリント配線基板の端子部に半田付固定される固定端子部と、フレキシブル配線基板の端子部に電気的に接続される接点部を先端に有する湾曲状の可動端子部と、固定端子部と可動端子部の基端部とを連結する連結部とを含んで構成されている。
【０００７】
これにより、スライド部材の押圧面部が作動子に対し離隔状態となるとき、即ち、アンロック状態となるとき、フレキシブル配線基板の端子部がケーブル収容部内に挿入可能または離脱可能とされる。
【０００８】
かかる構成において、フレキシブル配線基板の端子部を各コンタクト端子の接点部に電気的に接続するにあたっては、スライド部材の押圧面部がケーブル収容部に対し離隔状態となるとき、上述の挿入口を通じてフレキシブル配線基板の端子部がケーブル収容部の後方側を形成する後部壁部近傍位置まで挿入された後、スライド部材の押圧面部が、作動子の端面部とソケット本体の内側の底壁面との間に、コンタクト端子の可動端子部の弾性力に抗して押し込まれる。従って、フレキシブル配線基板の端子部は、スライド部材の押圧面部により押し上げられた作動子により、コンタクト端子の可動端子部の接点部に対し押圧され電気的に接続されることとなる。
【０００９】
その際、フレキシブル配線基板の端子部は、作動子の表面と弾性変位した各コンタクト端子の可動端子部の接点部との間に、可動端子部の弾性力により挟持されることとなる。
【００１０】
【特許文献１】特開２００７−７３４１１号公報
【発明の開示】
【発明が解決しようとする課題】
【００１１】
上述のスライド式ケーブル用コネクタにおいて、スライド部材の平坦な押圧面部を、作動子の端面部とソケット本体の内側の底壁面との間に押し込む場合、スライド部材を押し込むために必要とされる操作力は、内蔵されるコンタクト端子の数量およびその可動端子部の弾性力に応じた値となる。従って、その操作力は、コンタクト端子の数量が増大し、または、そのばね定数が大になるにつれて大となる。
【００１２】
しかし、ケーブル用コネクタが小型化されコンタクト端子の数量が増大した場合、かつ、例えば、工具等を使用することなく人為的にスライド部材を押し込むことにも一定の限界があるのでケーブル用コネクタが小型化され、コンタクト端子の数量が増大した場合であっても、スライド部材を押し込むために必要とされる操作力を減少させることが要望される。
【００１３】
以上の問題点を考慮し、本発明は、ケーブルの一端を保持するスライド部材を備えるケーブル用コネクタであって、スライド部材を押し込むために必要とされる操作力を減少させることができるケーブル用コネクタを提供することを目的とする。
【課題を解決するための手段】
【００１４】
上述の目的を達成するために、本発明に係るケーブル用コネクタは、一端に端子部を有するケーブルにおける端子部に対し電気的に接続され、接点部の端子部に対する相対位置が互いに異なる２種類のコンタクト端子群を有し、ケーブルの一端における該コンタクト端子群に対する相対位置を位置決めするとともに、ケーブルの一端を収容するケーブル収容部と、ケーブル収容部内に摺動可能に配され、ケーブル収容部内に挿入されたケーブルの端子部を２種類のコンタクト端子群の接点部に対しコンタクト端子群の弾性力に抗して押し付け保持する押圧部を有するスライド部材と、を備え、スライド部材の押圧部は、コンタクト端子群を構成するコンタクト端子の配列方向に沿って傾斜する傾斜面部を進行方向側の最端部に有することを特徴とする。
【発明の効果】
【００１５】
以上の説明から明らかなように、本発明に係るケーブル用コネクタによれば、スライド部材の押圧部は、コンタクト端子群を構成するコンタクト端子の配列方向に沿って傾斜する傾斜面部を進行方向側の最端部に有するのでスライド部材の押圧部にケーブルの一端を介して作用されるコンタクト端子群の弾性力に起因した反作用力が分散され、従って、スライド部材を押し込むために要される操作力を減少させることができる。
【発明を実施するための最良の形態】
【００１６】
図２は、本発明に係るケーブル用コネクタの一例の外観を、ケーブルとともに示す。
【００１７】
図２において、コネクタ本体部１２に電気的に接続されるケーブルの一端が配されるスライド部材１０は、図２に示される矢印が示すケーブルの着脱方向に沿ってコネクタ本体部１２に挿入され、また、図５に示されるように、コネクタ本体部１２に対し離隔する方向に移動可能とされる。なお、図２は、後述するスライド部材１０の押圧部がコネクタ本体部１２内に最大量、押し込まれた状態を示す。
【００１８】
ケーブルは、例えば、フレキシブル配線板１４とされる。フレキシブル配線板１４は、例えば、ＹＦＬＥＸ（登録商標）と称され、保護層に覆われた複数の導電層が絶縁性基材上に形成された構成とされる。絶縁性基材は、例えば、厚さ５０μｍ程度のガラスエポキシ樹脂、ポリイミド（ＰＩ）、ポリエチレンテレフタレート（ＰＥＴ）、あるいは、液晶ポリマーで成形されている。また、導電層は、例えば、銅合金の層で形成されている。保護層は、例えば、熱硬化型のレジスト層、あるいは、ポリイミドフィルムにより形成されている。フレキシブル配線板１４の一端の他方の表面には、例えば、幅０.３ｍｍの複数の電極により構成される電極群が形成されている。各電極は、例えば、約０.６ｍｍの相互間隔でその幅方向に沿って形成されている。その電極群は、フレキシブル配線板１４の内部の導電層に電気的に接続されている。
【００１９】
フレキシブル配線板１４の一端が配されるスライド部材１０は、樹脂材料で成形されており、図１に拡大されて示されるように、載置されるフレキシブル配線板１４の電極の配列方向に沿って延在する押圧部１０Ｐと、押圧部１０Ｐの両端にそれぞれ形成される操作部１０ＨＡおよび１０ＨＢと、操作部１０ＨＡにおいて押圧部１０Ｐの長手方向に直交する方向であってコネクタ本体部１２側に向けて突出する抜け止め用突起片１０ＬＡと、操作部１０ＨＢにおいて押圧部１０Ｐの長手方向に直交する方向であってコネクタ本体部１２側に向けて突出する抜け止め用突起片１０ＬＢとを含んで構成されている。
【００２０】
抜け止め用突起片１０ＬＡおよび抜け止め用突起片１０ＬＢは、互いに離隔して略平行となるように形成されている。
【００２１】
抜け止め用突起片１０ＬＡは、スライド部材１０の押圧部１０Ｐがコネクタ本体部１２の内部に挿入される場合、図７（Ａ）および（Ｂ）に拡大されて示されるように、コネクタ本体部１２の一方の端に形成される係合孔１２ＤＡに挿入される。抜け止め用突起片１０ＬＡにおける先端部には、図７（Ｂ）に示されるように、係合孔１２ＤＡの開口端近傍に形成される段差部１２Ｌａに係合される爪部１０Ｌａが形成されている。また、抜け止め用突起片１０ＬＢの先端部にも、コネクタ本体部１２の他方の端に形成される係合孔１２ＤＢに挿入される同様な爪部１０Ｌｂが形成されている。
【００２２】
押圧部１０Ｐは、図１に示されるように、その長手方向に沿って細長い凹部１０ＰＤをフレキシブル配線板１４の一端が載置される表面に有している。スライド部材１０の進行方向側となる押圧部１０Ｐにおける一方の端部には、傾斜面部１０ＰＳが形成されている。傾斜面部１０ＰＳは、押圧部１０Ｐにおける他方の端部に対し平行な直線ＲＬに対し所定の角度θをなす二つの斜面の一端が押圧部１０Ｐの中心線ＣＬで交わるように略Ｖ字状に形成されている。また、傾斜面部１０ＰＳは、図８（Ａ）および図９（Ａ）に拡大されて示されるように、押圧部１０Ｐがコンタクト本体部１２内に挿入されるとき、その角部が、その両端に向かい合う後述するコンタクト端子の接点部からコンタクト本体部１２内の中央部に位置するコンタクト端子の接点部に向けて順次、近接するように形成されている。
【００２３】
コネクタ本体部１２は、所定の配線基板（不図示）上に固定され、図６に示されるように、フレキシブル配線板１４の一端が収容されるケーブル収容部１２Ａを内部に有している。ケーブル収容部１２Ａの一方側は、上方および後述するコンタクト端子の配列方向に直交する方向に向けて開口している。
【００２４】
ケーブル収容部１２Ａの一方の側部には、上述のスライド部材１０の抜け止め用突起片１０ＬＡが挿入される係合孔１２ＤＡを内部に有する保持部が一体に形成されている。また、ケーブル収容部１２Ａの他方の側部には、上述のスライド部材１０の抜け止め用突起片１０ＬＢが挿入される係合孔１２ＤＢを内部に有する保持部が一体に形成されている。各保持部の上部および下部には、それぞれ、図６および図７（Ｂ）に示されるように、その側壁の一部が矢印の示す方向に弾性変位可能となるようにスリット１２ＤＧが形成されている。
【００２５】
ケーブル収容部１２Ａ内には、フレキシブル配線板１４の電極群と配線基板ＰＢ（図８（Ａ）および（Ｂ）参照）の導体層とを電気的に接続する複数種類のコンタクト端子１６ａｉ，および、１８ａｉ（ｉ＝１〜ｎ，ｎは正の整数）が千鳥掛け状に配されている。コンタクト端子１６ａｉ，および、１８ａｉは、所定の相互間隔で上述の開口部の長手方向に沿って形成されるスリット内に配されている。隣接するスリット相互間は、隔壁により仕切られている。各隔壁は、挿入されるフレキシブル配線板１４の接続端が当接せしめられることにより、フレキシブル配線板１４を所定位置に位置決めする位置規制部を有している。
【００２６】
コンタクト端子１６ａｉとコンタクト端子１８ａｉとは、交互に配置されており、即ち、図７（Ｂ）に示されるように、コンタクト端子１８ａｉが、隣接するコンタクト端子１６ａｉの相互間に配置されている。
【００２７】
複数のコンタクト端子１６ａｉ，１８ａｉの固定部１６Ｆおよび１８Ｆは、それぞれ、図８（Ａ）および（Ｂ）に拡大されて示されるように、溝１２ｇａｉおよび１２ｇｂｉに圧入されることにより、ケーブル収容部１２Ａ内の底部に固定されている。なお、複数のコンタクト端子１６ａｉ，１８ａｉは、コネクタ本体部１２の成形時、インサート成形されてもよい。
【００２８】
コンタクト端子１８ａｉの半田付け固定端子部１８ｆｓは、図８（Ｂ）に示されるように、ケーブル収容部１２Ａの一方の開口端部周縁に配され、一方、コンタクト端子１６ａｉの半田付け固定端子部１６ｆｓは、図８（Ａ）に示されるように、コネクタ本体部１２の背面側に突出している。
【００２９】
フレキシブル配線板１４の電極群と当接するコンタクト端子１６ａｉの可動片部１６Ｂの接点部１６ａは、弾性変位可能とされ、それぞれ、図８（Ａ）に示されるように、ケーブル収容部１２Ａ内に挿入されるスライド部材１０の押圧部１０Ｐの押圧面の位置、もしくは、その位置よりも若干高い位置に配されている。
【００３０】
コンタクト端子１８ａｉの可動片部１８Ｂの接点部１８ａは、弾性変位可能とされ、それぞれ、図８（Ｂ）に示されるように、コンタクト端子１６ａｉの可動片部１６Ｂの接点部１６ａと同様な位置に設定されている。但し、可動片部１８Ｂの接点部１８ａの位置は、コンタクト端子１６ａｉの可動片部１６Ｂの接点部１６ａの位置に比べてコネクタ本体部１２の背面側により近い位置に設定されている。即ち、可動片部１８Ｂの長さが、可動片部１６Ｂの長さに比して短く設定されている。
【００３１】
斯かる構成において、フレキシブル配線板１４の接続端を、コネクタ本体部１２に接続するにあたっては、先ず、図７（Ｂ）に示されるように、スライド部材１０の抜け止め用突起片１０ＬＡおよび１０ＬＢの先端部が、それぞれ、コネクタ本体部１２の係合孔１２ＤＡ、係合孔１２ＤＢに保持部の弾性力に抗して挿入される。その際、抜け止め用突起片１０ＬＡおよび１０ＬＢの爪部１０Ｌａ、１０Ｌｂが、図７（Ｂ）に示されるように、それぞれ、段差部１２Ｌａに係合される。
【００３２】
次に、図８（Ａ）および（Ｂ）に示されるように、フレキシブル配線板１４の接続端が、コネクタ本体部１２のケーブル収容部１２Ａ内に挿入される。その際、フレキシブル配線板１４の電極群が形成される表面をコンタクト端子１８ａｉの可動片部１８Ｂの接点部１８ａおよびコンタクト端子１６ａｉの可動片部１６Ｂの接点部１６ａに向けた状態でスライド部材１０の押圧部１０Ｐの先端で摺接されながらフレキシブル配線板１４の接続端が挿入される。
【００３３】
続いて、抜け止め用突起片１０ＬＡおよび１０ＬＢの爪部１０Ｌａ、１０Ｌｂが段差部１２Ｌａから離脱され、係合孔１２ＤＡ、係合孔１２ＤＢで案内されながら、図９（Ａ）、（Ｂ）、および、（Ｃ）に示されるように、スライド部材１０の押圧部１０Ｐが、コンタクト端子１８ａｉの可動片部１８Ｂおよびコンタクト端子１６ａｉの可動片部１６Ｂの弾性力に抗してケーブル収容部１２Ａ内に押し込まれる。これにより、フレキシブル配線板１４の接続端は、コンタクト端子１８ａｉの可動片部１８Ｂおよびコンタクト端子１６ａｉの可動片部１６Ｂの弾性力に起因した押圧力により、スライド部材１０の押圧部１０Ｐに保持されることとなるのでフレキシブル配線板１４の他端側に所定の引張力が作用した場合であっても、スライド部材１０がケーブル収容部１２Ａから離脱する虞がない。
【００３４】
その際、押し込まれるスライド部材１０の押圧部１０Ｐにおける傾斜面部１０ＰＳは、傾斜面部１０ＰＳの両端近傍部分から順次、傾斜面部１０ＰＳの中心線ＣＬに近い部分に向けてフレキシブル配線板１４の接続端を順次対向するコンタクト端子１６ａｉの可動片部１６Ｂの弾性力に抗して押圧することとなる。
【００３５】
そして、傾斜面部１０ＰＳがコンタクト端子１６ａｉの可動片部１６Ｂの接点部１６ａの下方を通過しさらに押し込まれ、コンタクト端子１８ａｉの可動片部１８Ｂの接点部１８ａの真下に到達したとき、傾斜面部１０ＰＳは、傾斜面部１０ＰＳの両端近傍部分から順次、傾斜面部１０ＰＳの中心線ＣＬに近い部分に向けてフレキシブル配線板１４の接続端を順次対向するコンタクト端子１８ａｉの可動片部１８Ｂの弾性力に抗して押圧することとなる。
【００３６】
一方、フレキシブル配線板１４の接続端を、コネクタ本体部１２から取り外すにあたっては、スライド部材１０の操作部１０ＨＡの端部が、図５に二点鎖線で示されるように、
コンタクト端子１６ａｉの可動片部１６Ｂおよびコンタクト端子１８ａｉの可動片部１８Ｂの弾性力に抗してコネクタ本体部１２から引き離す方向に図７（Ｂ）に示される位置まで引っ張られることにより、フレキシブル配線板１４の接続端が取り外し可能な状態とされる。
【００３７】
図１０は、スライド部材１０の押圧部１０Ｐのケーブル収容部１２Ａ内への押し込み量（移動量）に対する傾斜面部１０ＰＳを有するスライド部材１０の押圧部１０Ｐの押し込み力（操作力）の変化について検証するために本願発明の発明者により行なわれた実験の結果を示す。
【００３８】
図１０は、縦軸に押し込み力（Ｎ）をとり、横軸にスライド部材１０の移動量（ｍｍ）をとり、押し込み力の変化をあらわす特性線Ｌａを示す。なお、特性線Ｌａは、所定の測定装置（アイコーエンジニアリング（株）社製）により得られた。測定装置は、例えば、上述のコネクタ本体部１２を支持するクランプ部材と、スライド部材１０を、フレキシブル配線板１４の接続端が配されたコネクタ本体部１２のケーブル収容部１２Ａ内へ移動させるアクチュエータ部と、アクチュエータ部の移動速度を制御するアクチュエータ制御部と、アクチュエータ部に設けられスライド部材１０に作用する荷重を測定するロードセルと、を主な要素として構成される。
【００３９】
スライド部材１０の押圧部１０Ｐにおける進行方向の先端が、図９（Ａ）に示されるように、コンタクト端子１６ａｉの可動片部１６Ｂの接点部１６ａに近接し、傾斜面部１０ＰＳの両端から中央部までの部分が、順次、接点部１６ａをフレキシブル配線板１４の接続端を介して押し上げるとき、押し込み力は、特性線Ｌａに沿って押し込み量に応じて徐々に所定の勾配で増大する。特性線Ｌａにおいて、傾斜面部１０ＰＳがすべての接点部１６ａを押し上げた時点で、スライド部材１０の押圧部１０Ｐの押し込み量は、図１０における０．５ｍｍを超える所定の押し込み量ＳＴ１に到達し、押し込み力は、約１５（Ｎ）を超える所定の値Ｎ３となった。
【００４０】
次に、スライド部材１０の押圧部１０Ｐがさらに押し込まれるとき、傾斜面部１０ＰＳの両端から中央部までの部分が順次、コンタクト端子１８ａｉの可動片部１８Ｂの接点部１８ａをフレキシブル配線板１４の接続端を介して押し上げるとき、押し込み力は、特性線Ｌａに沿って押し込み量に応じてさらに徐々に増大し、図９（Ｃ）に示されるように、すべての接点部１８ａを押し上げた時点で、押し込み量が図１０における１．０ｍｍを超える所定の値ＳＴ２となり、押し込み力は、約２０（Ｎ）を超える所定の最大値Ｎ４となった。
【００４１】
一方、図１１は、傾斜面部１０ＰＳを有するスライド部材１０の押圧部１０Ｐの代わりに、比較例として従来装置に採用されているような傾斜面のない平坦な端面を有するスライド部材を用い、また、上述の同一のコネクタ本体部１２を使用し、その押圧部の押し込み力（操作力）の変化について、本願発明の発明者により行なわれた比較実験の結果を示す。なお、そのスライド部材の押圧部の押し込み量は、上述の実験例と同一とされる。
【００４２】
図１１は、縦軸に押し込み力（Ｎ）をとり、横軸にスライド部材１０の移動量（ｍｍ）をとり、押し込み力の変化をあらわす特性線ＣＬａを示す。なお、特性線ＣＬａは、上述の測定装置と同一の測定装置により得られた。
【００４３】
スライド部材の押圧部における進行方向の先端が、コンタクト端子１６ａｉの可動片部１６Ｂの接点部１６ａに近接し、その端面が、接点部１６ａをフレキシブル配線板１４の接続端を介して押し上げるとき、押し込み力は、特性線ＣＬａに沿って押し込み量に応じて徐々に所定の勾配で増大する。特性線ＣＬａにおいて、その端面がすべての接点部１６ａを押し上げた時点で、スライド部材１０の押圧部１０Ｐの押し込み量は、図１１における０．５ｍｍを超える所定の押し込み量ＳＴ１に到達し、押し込み力は、約１５（Ｎ）を超える上述の値Ｎ３よりも大なる所定の値Ｎ１となった。
【００４４】
次に、スライド部材の押圧部がさらに押し込まれるとき、その端面がコンタクト端子１８ａｉの可動片部１８Ｂの接点部１８ａをフレキシブル配線板１４の接続端を介して押し上げるとき、押し込み力は、特性線ＣＬａに沿って押し込み量に応じてさらに徐々に増大し、すべての接点部１８ａを押し上げた時点で、押し込み量が図１１における１．０ｍｍを超える所定の値ＳＴ２となり、押し込み力は、約２５（Ｎ）を超える大なる所定の最大値Ｎ２となった。
【００４５】
従って、図１０および図１１における特性線Ｌａおよび特性線ＣＬａから明らかなように、スライド部材１０の押圧部１０Ｐが傾斜面部１０ＰＳを有することにより、最大押し込み力（最大操作力）が従来の装置に比べて減少することが確認された。
【図面の簡単な説明】
【００４６】
【図１】本発明に係るケーブル用コネクタの一例に用いられるスライド部材を拡大して示す平面図である。
【図２】本発明に係るケーブル用コネクタの一例の外観を、ケーブルとともに示す斜視図である。
【図３】本発明に係るケーブル用コネクタの一例の外観を示す正面図である。
【図４】図３に示される例における平面図である。
【図５】図３に示される例における側面図である。
【図６】本発明に係るケーブル用コネクタの一例に用いられるコネクタ本体部を示す斜視図である。
【図７】（Ａ）および（Ｂ）は、それぞれ、図３におけるＶＩＩ−ＶＩＩ線に沿って示される部分断面図である。
【図８】（Ａ）および（Ｂ）は、それぞれ、本発明に係るケーブル用コネクタの一例の動作説明に供される部分断面図である。
【図９】（Ａ），（Ｂ）、および（Ｃ）は、それぞれ、本発明に係るケーブル用コネクタの一例の動作説明に供される部分断面図である。
【図１０】本発明に係るケーブル用コネクタの一例におけるスライド部材の押し込み力の変化を押し込み量に応じてあらわす特性線を示す特性図である。
【図１１】比較例におけるスライド部材の押し込み力の変化を押し込み量に応じてあらわす特性線を示す特性図である。
【符号の説明】
【００４７】
１０    スライド部材
１０ＰＳ    傾斜面部
１２    コネクタ本体部
１２Ａ    ケーブル収容部
１４    フレキシブル配線板
１６ａｉ，１８ａｉ    コンタクト端子
【図１】
2009104812.tif 000003
【図２】
2009104812.tif 000004
【図３】
2009104812.tif 000005
【図４】
2009104812.tif 000006
【図５】
2009104812.tif 000007
【図６】
2009104812.tif 000008
【図７】
2009104812.tif 000009
【図８】
2009104812.tif 000010
【図９】
2009104812.tif 000011
【図１０】
2009104812.tif 000012
【図１１】
2009104812.tif 000013